(57)【要約】【課題】コンタクトガラス交換時における装置内への異物等の侵入のリスクを低減することで保守性を向上させた画像読取装置を提供する。【解決手段】原稿３１を通す原稿搬送通路Ｐｗを形成する筐体２０と、原稿搬送通路Ｐｗの所定区間内でＡＤＦ用コンタクトガラス１１を通して原稿を読み取る表面読取部１６と、所定区間の近傍で筐体２０に着脱可能に支持された前後の原稿ガイド部１３、１５とを備えた画像読取装置であって、コンタクトガラス１１が、筐体２０に対して用紙搬送方向に移動可能に支持されるとともに、原稿ガイド部１３、１５によって移動規制されている。【選択図】図３
2019062440.tif 000002
【特許請求の範囲】
【請求項１】
原稿となる用紙を通す用紙搬送通路を形成する筐体と、前記用紙搬送通路の所定区間内でコンタクトガラスを通して前記原稿に記録された画像情報を読み取る読取部と、前記筐体に着脱可能に支持された原稿ガイド部と、を備えた画像読取装置であって、
前記コンタクトガラスが、前記筐体に対して前記原稿の搬送方向に移動可能に支持されるとともに、前記原稿ガイド部によって前記移動を規制されていることを特徴とする画像読取装置。
【請求項２】
前記筐体が、前記コンタクトガラスの原稿案内面に当接するガラス押え部を有しており、
前記コンタクトガラスが、前記ガラス押え部に当接した状態で、前記原稿ガイド部に係合していることを特徴とする請求項１に記載の画像読取装置。
【請求項３】
前記筐体が、前記ガラス押え部に当接した前記コンタクトガラスを前記搬送方向に移動可能に収納する凹部を有しており、
前記原稿ガイド部の一部が前記凹部内に挿入された状態で、前記コンタクトガラスと前記原稿ガイド部の一部とが当接していることを特徴とする請求項２に記載の画像読取装置。
【請求項４】
前記コンタクトガラスと前記筐体との間に、前記コンタクトガラスを前記ガラス押え部側に付勢する弾性部材が介装されていることを特徴とする請求項２または３に記載の画像読取装置。
【請求項５】
前記原稿ガイド部が、前記コンタクトガラスに対して前記搬送方向の上流側に位置する第１ガイド部材と、前記コンタクトガラスに対して前記搬送方向の下流側に位置する第２ガイド部材とによって構成されていることを特徴とする請求項４に記載の画像読取装置。
【請求項６】
請求項１ないし５のいずれか１項の画像読取装置を備えた画像形成装置。
【発明の詳細な説明】
【技術分野】
【０００１】
本発明は、画像読取装置、特に自動原稿搬送装置を備えた画像読取装置に関する。
【背景技術】
【０００２】
自動原稿搬送装置（以下、ＡＤＦという）を備えた画像読取装置は、ＡＤＦ用とフラットベッド（以下、ＦＢともいう）用の２種類の原稿読取り用コンタクトガラスを有しているのが一般的である。
【０００３】
コンタクトガラス表面にはホコリ等の異物が付着しやすいだけでなく、読取原稿に付着していた異物や粘着物がコンタクトガラス表面に転移することがある。特に、ＡＤＦ用のコンタクトガラスはガラス表面上を原稿が連続して摺擦することから紙粉や異物が付着しやすく、付着すると原稿読取り画像や原稿搬送性能に悪影響を及ぼすことがある。
【０００４】
その対策として、ＡＤＦ用コンタクトガラスの表面を清掃する機構を設けることや、そのガラス表面に防汚コーティングを施すこと等が、既に知られている。
【０００５】
例えば、後掲の特許文献のうち特許文献１には、画像読取装置のメンテナンス性を向上させる目的で、ＡＤＦ用のコンタクトガラスと読取装置の筐体部カバーを一体化し、ガラス交換時に筐体カバーごと交換可能なものが開示されている。
【０００６】
また、特許文献２には、画像読取装置のメンテナンス性を向上させる目的で、フラットベッド用のコンタクトガラスを読取装置の筐体部カバーに対しスライド可能に保持するものが開示されている。
【発明の概要】
【発明が解決しようとする課題】
【０００７】
しかしながら、上述のような従来の画像読取装置におけるコンタクトガラス表面の清掃機構や防汚コーティングでは、多量の原稿を通した場合に生ずる磨耗、特に読取原稿を綴じる際に使用される金属製のステープラやクリップ等が擦れて傷が生じてしまうと、コンタクトガラスを交換する必要があった。そして、そのコンタクトガラスの交換時に、古いガラスを取り外して新しいガラスを取り付けるまで一時的に画像読取装置に開口部が生じていた。そのため、その開口部からホコリ等の異物が入り込むリスクが避けられないばかりか、入り込んだ異物がコンタクトガラスや読取光学部に付着すると、原稿読取画像にスジや点等の異常画像が生じてしまうという問題があった。
【０００８】
そこで、本発明は、コンタクトガラス交換時における装置内への異物等の侵入のリスクを低減することで保守性を向上させた画像読取装置を提供することを目的とする。
【課題を解決するための手段】
【０００９】
本発明に係る画像読取装置は、上記目的達成のため、原稿となる用紙を通す用紙搬送通路を形成する筐体と、前記用紙搬送通路の所定区間内でコンタクトガラスを通して前記原稿に記録された画像情報を読み取る読取部と、前記筐体に着脱可能に支持された原稿ガイド部と、を備えた画像読取装置であって、前記コンタクトガラスが、前記筐体に対して前記原稿の搬送方向に移動可能に支持されるとともに、前記原稿ガイド部によって前記移動を規制されていることを特徴とする。
【００１０】
この構成により、原稿ガイド部の筐体への取付け状態が解かれたときには、原稿ガイド部によるコンタクトガラスの移動規制が解かれることになり、コンタクトガラスが筐体に対して用紙搬送方向に移動可能となる。したがって、例えばコンタクトガラス交換時の旧コンタクトガラスの取外しと新コンタクトガラスの取付け方向とを同一にする等して、コンタクトガラス交換時に開口部が形成されないようにすることが容易化される。
【発明の効果】
【００１１】
本発明によれば、コンタクトガラス交換時における装置内への異物等の侵入のリスクを低減することで保守性を向上させた画像読取装置を提供することができる。
【図面の簡単な説明】
【００１２】
【図１】本発明の一実施形態に係る画像読取装置を備えた画像形成装置の全体概略斜視図である。
【図２】（ａ）は、一実施形態に係る画像形成装置の画像読取面側の斜視図であり、（ｂ）は、同画像形成装置の画像読取面に隣接するＡＤＦ用ガイド部材を取り外した状態を示す要部斜視図である。
【図３】図２のＡ−Ａ矢視断面図である。
【図４】図２のＢ−Ｂ矢視断面図である。
【図５】（ａ）は、図２（ａ）中の矢印Ｃ方向に見た一実施形態に係る画像形成装置の要部部分上面図であり、（ｂ）は、（ａ）のＤ−Ｄ矢視断面図である。
【図６】一実施形態に係る画像形成装置における画像読取装置本体のＡＤＦ用コンタクトガラスの交換作業前の状態を示す正面断面図である。
【図７】一実施形態に係る画像形成装置におけるＡＤＦ用コンタクトガラスの交換作業の第１の工程の説明図で、ＡＤＦ用コンタクトガラスの前後のガイド部材を取り外した状態を示している。
【図８】一実施形態に係る画像形成装置におけるＡＤＦ用コンタクトガラスの交換作業の第２の工程の説明図で、交換用の新しいコンタクトガラスを旧コンタクトガラスをスライド方向に押し出し可能に配置した状態を示している。
【図９】一実施形態に係る画像形成装置におけるＡＤＦ用コンタクトガラスの交換作業の第３の工程の説明図で、開口部を形成することなく交換用の新しいコンタクトガラスで旧コンタクトガラスをスライド方向に押し出す段階を示している。
【図１０】一実施形態に係る画像形成装置におけるＡＤＦ用コンタクトガラスの交換作業の第４の工程の説明図で、交換用の新しいコンタクトガラスで旧コンタクトガラスをスライド方向に押し出して取り外した状態を示している。
【図１１】一実施形態に係る画像形成装置におけるＡＤＦ用コンタクトガラスの交換作業の第５の工程の説明図で、旧コンタクトガラスを取り去った状態を示している。
【図１２】一実施形態に係る画像形成装置におけるＡＤＦ用コンタクトガラスの交換作業の第６の工程の説明図で、ＡＤＦ用コンタクトガラスの前後のガイド部材を再度取り付け、交換作業を終えた状態を示している。
【発明を実施するための形態】
【００１３】
以下、本発明を実施するための形態について、図面を参照しつつ説明する。
【００１４】
図１ないし図１２は、本発明の一実施形態に係る画像読取装置の概略構成図である。
【００１５】
まず、構成について説明する。
【００１６】
図１に示すように、本実施形態の複写機１は、画像形成部２と、画像読取装置３と、搬送部としての自動原稿搬送装置（以下、単に「ＡＤＦ」とも称する）４と、操作部５とを具備している。
【００１７】
自動原稿搬送装置４は、画像読取装置３の上部に開閉可能に取り付けられている。
【００１８】
図２に示すように、画像読取装置３の上面には、長手方向に延びる一定幅の板状のＡＤＦ用コンタクトガラス１１と、所定サイズのカット紙形状に対応するフラットベッド用コンタクトガラス１２が設けられており、自動原稿搬送装置４は、原稿３１（読取原稿）を搬送しＡＤＦ用コンタクトガラス１１上を通過させることで、このＡＤＦ用コンタクトガラス１１上を通して後述する表面読取部１６（読取部）により原稿を読み取ることができる。
【００１９】
ＡＤＦ用コンタクトガラス１１の搬送方向前後には、原稿３１をＡＤＦ用コンタクトガラス１１上を摺擦する所定搬送姿勢に案内する前ガイド１３および後ガイド１５（原稿ガイド部）が設けられている。
【００２０】
これら前ガイド１３および後ガイド１５は、ネジ等の締結手段あるいはスナップフィット等の係止手段によって筐体カバー２２に着脱可能に固定され支持されている。また、前ガイド１３および後ガイド１５は、用紙搬送方向の両側からＡＤＦ用コンタクトガラス１１に当接できる幅寸法に設定されるか締結や係止による固定時にいわゆるガタ詰めができるようになっている。
【００２１】
表面読取部１６は、密着型イメージセンサ（ＣＩＳ）その他の読取手段自体で構成されたものであってもよいし、図示しない読取手段に原稿の露光走査による反射光を送る露光走査ユニット等であってもよい。
【００２２】
図３に示すように、原稿３１は、原稿積置台３２に画像面を上にしてページ順にセットされ、給紙ローラ３３によって給紙される。給紙された原稿３１は、搬送ローラ３４にて、原稿搬送通路Ｐｗを通して画像読取装置３へと搬送される。
【００２３】
画像読取装置３に搬送された原稿３１は、原稿搬送通路Ｐｗの下流側の前ガイド１３によってＡＤＦ用コンタクトガラス１１上に案内され、さらに後ガイド１５によって排紙ローラ３５に案内され、排紙ローラ３５によって排紙トレイ３６上に排出される。
【００２４】
画像読取装置３は、また、原稿３１がコンタクトガラス１１上を通過するとき、そのＡＤＦ用コンタクトガラス１１の下方に位置する表面読取部１６により、原稿３１の表面に記された書画像等の画像情報を読み取るようになっている。
【００２５】
表面読取部１６は、ガイドシャフト１７を介して画像読取装置３の筐体２０に可動に支持されており、ＡＤＦ用コンタクトガラス１１の下方の所定の読取位置に停止することに加えて、フラットベッド用コンタクトガラス１２の下方の所定の読取領域内で用紙搬送方向に動くことができ、さらにこれら所定の読取領域および所定の読取位置の間で移動することができる。
【００２６】
画像読取装置３の筐体２０は、筐体ボトム部２１と筐体カバー２２で構成されている。筐体カバー２２には、ＡＤＦ用コンタクトガラス１１およびフラットベッド用コンタクトガラス１２が配置されている。
【００２７】
筐体カバー２２には、また、ＡＤＦ用コンタクトガラス１１を用紙搬送方向に移動可能に収納するとともに前ガイド１３および後ガイド１５の下部をそれぞれに収納する凹部２５が形成されている。
【００２８】
図４ないし図６に示すように、筐体カバー２２には、凹部２５内のＡＤＦ用コンタクトガラス１１の両端側でそれぞれの表面１１ａに当接する一対の板状のガラス押え部２３（係止部）が設けられている。
【００２９】
ガラス押え部２３は、図中では筐体カバー２２に対し一体に形成されているが、前述の前ガイド１３や後ガイド１５と同様の締結手段や係止手段によるものであっても構わない。
【００３０】
凹部２５の内底壁部２５ｂには、ＡＤＦ用コンタクトガラス１１に対応する読取窓２５ａが形成されており、その周囲を取り囲むように弾性部材２４が設けられている。
【００３１】
この弾性部材２４は、ＡＤＦ用コンタクトガラス１１と筐体２０との間に介装されてＡＤＦ用コンタクトガラス１１を一対のガラス押え部２３に対して付勢する弾性部材であり、ＡＤＦ用コンタクトガラス１１の上面側両端部分を一対のガラス押え部２３に所定の接触圧で接触させている。これにより、ＡＤＦ用コンタクトガラス１１は、用紙搬送方向と直交するその長手方向（通路幅方向）の両端側で、その板厚方向および長手方向の所定位置に位置決めされつつ、実質的に用紙搬送方向にのみスライド（移動）可能に案内および支持されている。
【００３２】
また、弾性部材２４による付勢状態下で、ＡＤＦ用コンタクトガラス１１は、その両端面（符号なし）を凹部２５の内側壁面２５ｃに摺動可能に係合させるとともに、下面外周側の全周で弾性部材２４から付勢力を受圧している。したがって、ＡＤＦ用コンタクトガラス１１は、弾性部材２４と協働して凹部２５の読取窓２５ａに対応する開口部やその周囲の隙間を塞ぎ、画像読取装置３の内部に異物等が侵入することを防止するようになっている。
【００３３】
このように、本実施形態の複写機１に装備された画像読取装置３においては、原稿３１を通す原稿搬送通路Ｐｗを形成する筐体２０と、原稿３１を搬送する搬送手段としてのＡＤＦ４と、原稿搬送通路Ｐｗの所定区間内でＡＤＦ用コンタクトガラス１１を通して原稿３１を読み取る読取手段としての表面読取部１６と、所定区間の近傍で筐体２０に着脱可能に支持された前ガイド１３および後ガイド１５（原稿ガイド部）とを備えている。
【００３４】
そして、ＡＤＦ用コンタクトガラス１１は、筐体２０に対して原稿３１の搬送方向に移動可能に支持されるとともに、前ガイド１３および後ガイド１５によってその搬送方向への移動を規制され、原稿搬送通路Ｐｗの通紙幅領域内に位置する表面１１ａによって読取窓２５ａに対応する透明な原稿案内面を形成している。
【００３５】
前述のように、筐体２０は、ＡＤＦ用コンタクトガラス１１の表面１１ａの両端部分に当接しつつＡＤＦ用コンタクトガラス１１をその原稿案内面の法線方向の所定高さ位置に位置決めする一対（複数）のガラス押え部２３を一体的に有しており、ＡＤＦ用コンタクトガラス１１は、その板厚方向でガラス押え部２３および弾性部材２４に当接しつつ、前ガイド１３および後ガイド１５に突当て係合している。
【００３６】
したがって、ＡＤＦ用コンタクトガラス１１は、ＡＤＦ用コンタクトガラス１１より用紙搬送方向の上流側に位置する前ガイド１３と用紙搬送方向の下流側に位置する後ガイド１５とがそれぞれの下部側で凹部２５内に挿入された状態において、それら前ガイド１３および後ガイド１５に用紙搬送方向の両側で突き当って用紙搬送方向に位置決めされている。
【００３７】
図５（ａ）および図５（ｂ）に示すように、前ガイド１３および後ガイド１５は、それぞれの長手方向中央側にＡＤＦ用コンタクトガラス１１の表面１１ａに対し互いに逆方向に傾斜する原稿ガイド面１３ａ、１５ａを有するとともに、それぞれの両端側に、ねじ締結孔等を有する一対の取付板部１３ｂ、１５ｂを有している。また、凹部２５は、それぞれの上面側で一対の取付板部１３ｂ、１５ｂの取付け面を形成する複数対の段差部２５ｄを有している。なお、前ガイド１３および後ガイド１５が凹部２５内の内底部側に突出する一対の内突部１３ｃ、１５ｃを有し、凹部２５の複数対の段差部２５ｄがそれぞれの内側面側で複数の内突部１３ｃ、１５ｃをガイドする内側面を有していてもよい。
【００３８】
次に、本実施形態の複写機１の画像読取装置３におけるＡＤＦ用コンタクトガラス１１の交換作業について説明する。
【００３９】
上述のように構成された本実施形態の複写機１の画像読取装置３においては、ＡＤＦ用コンタクトガラス１１の交換作業に際して、まず、図７に示すように、前ガイド１３および後ガイド１５が凹部２５から取り出される。
【００４０】
次いで、図８に示すように、表面１１ａ上を多数の原稿３１が摺擦することで紙粉や異物が付着しやすくなり交換時期が到来したＡＤＦ用コンタクトガラス１１（ここでは、旧コンタクトガラス１１ｗという）に対し、用紙搬送方向の後方側に隣接するように新しいＡＤＦ用コンタクトガラス１１（ここでは、新コンタクトガラス１１ｎという）を配置する。
【００４１】
次いで、図８に示すように板厚方向でガラス押え部２３および弾性部材２４の保持されていた旧コンタクトガラス１１ｗを、図９に示すように新コンタクトガラス１１ｎによって同図中の右側に押し出すとともに、新コンタクトガラス１１ｎをガラス押え部２３および弾性部材２４の間に潜り込ませた後、図１０に示すように旧コンタクトガラス１１ｗをガラス押え部２３および弾性部材２４の間から脱出させ、図１１に示すように凹部２５の外方に取り出す。
【００４２】
次いで、前ガイド１３および後ガイド１５を凹部２５内に再度取り付け、新コンタクトガラス１１ｎを用紙搬送方向の両側で前ガイド１３および後ガイド１５に突き当てて、用紙搬送方向に位置決めする。
【００４３】
このような概略手順でＡＤＦ用コンタクトガラス１１の交換作業が完了する。
【００４４】
次に、作用について説明する。
【００４５】
上述のように構成された本実施形態の複写機１においては、画像読取装置３の使用中、ＡＤＦ用コンタクトガラス１１が、前ガイド１３および後ガイド１５に用紙搬送方向の両側で突当て係合した状態で弾性部材２４から付勢力を受けることで、筐体カバー２２の一対のガラス押え部２３に係合して所定の原稿読取高さ位置に規制され、かつ、用紙搬送方向両側の前ガイド１３および後ガイド１５に突き当たることで、用紙搬送方向の移動を規制される。
【００４６】
したがって、ＡＤＦ用コンタクトガラス１１の交換作業に際して前ガイド１３および後ガイド１５の筐体２０への取付け状態が解かれたときには、前ガイド１３および後ガイド１５によるＡＤＦ用コンタクトガラス１１の用紙搬送方向への移動規制が解かれ、ＡＤＦ用コンタクトガラス１１が筐体２０に対して用紙搬送方向に移動可能となる。
【００４７】
そして、図８ないし図１０に示すように、旧コンタクトガラス１１ｗの取外しと新コンタクトガラス１１ｎの取付け方向とを同一にしてこれらを前後に隣り合わせて着脱することができるので、ＡＤＦ用コンタクトガラス１１の交換時に凹部２５の読取窓２５ａの閉塞状態を保して不要な開口部が形成されないようにすることができ、画像読取装置３の内部に異物等が侵入することを防止することができる。
【００４８】
また、ＡＤＦ用コンタクトガラス１１の高さを規定し用紙搬送方向へのスライドガイドとなるガラス押え部２３が筐体カバー２２に一体的に支持されるため、部品位置決め精度の向上やコストダウンが図れる。
【００４９】
さらに、ＡＤＦ用コンタクトガラス１１をガラス押え部２３に付勢する弾性部材２４により、表面読取部１６上におけるＡＤＦ用コンタクトガラス１１と筐体カバー２２との隙間を塞ぎ、筐体カバー２２内の表面読取部１６側に異物が侵入することを確実に防止できることとなる。
【００５０】
弾性部材２４のうち一部（複数のうち少なくとも１つでもよい）がコンタクトガラスのスライド方向と直交する方向に延在しているので、クリーニングが困難なＡＤＦ用コンタクトガラス１１の内面（図中下面）側を相対的に摺動する弾性部材２４でのワイパ作用によりクリーニングすることも可能となり、ＡＤＦ用コンタクトガラス１１の内面側に異物等が付着した場合でもそれを確実に取り除くクリーニング動作ができることとなる。
【００５１】
加えて、ＡＤＦ用コンタクトガラス１１のスライドが可能な用紙搬送方向については、同方向に両側に前ガイド１３および後ガイド１５が突当て係合および位置決め可能に配置され固定されているので、ＡＤＦ用コンタクトガラス１１が位置ずれしたり不意に脱落したりすることを確実に防止し、かつ、位置決めをすることができる。
【００５２】
このように、本実施形態においては、ＡＤＦ用コンタクトガラス１１の交換時に読取窓２５ａに対応する開口部や隙間の形成を抑え、異物等の侵入のリスクを低減することができ、保守性を向上させた画像読取装置を提供することができる。
【００５３】
なお、本実施形態では、新コンタクトガラス１１ｎを旧コンタクトガラス１１ｗに対して用紙搬送方向の後方側に配置し、旧コンタクトガラス１１ｗを用紙搬送方向（図９中の右側）に押し出すものとした。しかしながら、これとは逆に、新コンタクトガラス１１ｎを旧コンタクトガラス１１ｗに対して用紙搬送方向の前方側に配置し、旧コンタクトガラス１１ｗを用紙搬送方向とは逆方向に押し出すようにしてもよい。
【００５４】
また、ガラス押え部２３は一枚の方形の平板状のものとしたが、その外径やスライド面の配置等が任意に設定し得ることや、前ガイド１３および後ガイド１５の筐体カバー２２に対する位置決め固定および挿入深さ等を任意に設定できることはいうまでもない。
【００５５】
さらに、上述の一実施形態では、コンタクトガラスをＡＤＦ用コンタクトガラス１１として説明したが、本発明は、着脱式のフラットベッドコンタクトガラスにも適用可能であり、ＡＤＦ用コンタクトガラスに限定されるものではない。
【００５６】
以上説明したように、本発明は、コンタクトガラス交換時における装置内への異物等の侵入のリスクを低減することで保守性を向上させた画像読取装置を提供できるものであり、自動原稿搬送装置を備えた画像読取装置全般に有用である。
【符号の説明】
【００５７】
１  複写機（画像形成装置）
２  画像形成部
３  画像読取装置
４  ＡＤＦ（自動原稿搬送装置）
５  操作部
１１  ＡＤＦ用コンタクトガラス
１１ａ  表面
１１ｎ  新コンタクトガラス
１１ｗ  旧コンタクトガラス
１２  フラットベッド用コンタクトガラス
１３  前ガイド（原稿ガイド部）
１３ａ、１５ａ  原稿ガイド面
１３ｂ、１５ｂ  取付板部
１３ｃ、１５ｃ  内突部
１５  後ガイド（原稿ガイド部）
１６  表面読取部（読取部）
１７  ガイドシャフト
２０  筐体
２１  筐体ボトム部
２２  筐体カバー
２３  押え部
２４  弾性部材
２５  凹部
２５ａ  読取窓
２５ｂ  内底壁部
２５ｃ  内側壁面
３１  原稿
３２  原稿積置台
３３  給紙ローラ
３４  搬送ローラ
３５  排紙ローラ
３６  排紙トレイ
【先行技術文献】
【特許文献】
【００５８】
【特許文献１】特開２０１２−２４４４０９号公報
【特許文献２】特開平７−９５３６９号公報
【図１】
2019062440.tif 000003
【図２】
2019062440.tif 000004
【図３】
2019062440.tif 000005
【図４】
2019062440.tif 000006
【図５】
2019062440.tif 000007
【図６】
2019062440.tif 000008
【図７】
2019062440.tif 000009
【図８】
2019062440.tif 000010
【図９】
2019062440.tif 000011
【図１０】
2019062440.tif 000012
【図１１】
2019062440.tif 000013
【図１２】
2019062440.tif 000014